(57)【要約】【課題】１８０°以上の広い角度範囲を照明可能でありながら、細径の内視鏡にも好適に適可能とする。【解決手段】照明光を出射する出射端１ａを有する発光部１と、所定の軸を中心とする円周上に配置され、出射端１ａから入射された照明光を表面から出射する光学部材２と、該光学部材２の半径方向内側の表面に隣接して設けられ、照明光を半径方向外方へ反射する反射層３とを備え、光学部材２が、導光層４と、該導光層４よりも半径方向外側および所定の軸に沿う方向の一端側に位置する拡散層５とを備え、導光層４は、出射端１ａから照明光が入射されるとともに該照明光を導光し、拡散層５は、導光層４から入射された照明光を拡散させながら導光する照明装置１００を提供する。【選択図】図１
2015016021.tif 000002
【特許請求の範囲】
【請求項１】
照明光を出射する出射端を有する発光部と、
所定の軸を中心とする円周上に配置され、前記出射端から入射された前記照明光を表面から出射する光学部材と、
該光学部材の半径方向内側の表面に隣接して設けられ、前記照明光を半径方向外方へ反射する反射層とを備え、
前記光学部材が、導光層と、該導光層よりも半径方向外側および前記所定の軸に沿う方向の一端側に位置する拡散層とを備え、
前記導光層は、前記出射端から前記照明光が入射されるとともに該照明光を導光し、
前記拡散層は、前記導光層から入射された前記照明光を拡散させながら導光する照明装置。
【請求項２】
前記出射端の形状が、円形、楕円、多角形、または、扇形である請求項１に記載の照明装置。
【請求項３】
前記光学部材が、周方向の一部分を長手方向に切り欠いてなる切欠部を有する略筒状である請求項１または請求項２に記載の照明装置。
【請求項４】
前記円周上に配列される複数の前記光学部材を備え、
該各光学部材が、半径方向内側に平坦な側面を有する柱状であり、
前記反射層が、前記平坦な側面に設けられる請求項１または請求項２に記載の照明装置。
【発明の詳細な説明】
【技術分野】
【０００１】
本発明は、照明装置に関し、特に、１８０°以上の画角を有する内視鏡に適用される照明装置に関するものである。
【背景技術】
【０００２】
従来、１８０°以上の広い画角を有し、前方および側方、さらには後方の視野を同時に観察可能な内視鏡が知られている（例えば、特許文献１参照。）。例えば、多数のひだが存在する大腸において１８０°以上の画角を有する内視鏡を使用した場合には、内視鏡の先端の向きを大きく変化させずともひだの裏側を観察することができるので、ユーザによる操作が容易になるとともに、病変をより確実に見付けることができる。特許文献１の内視鏡は、照明装置として先端部に２つのライトガイドを備え、前方の視野と側方の視野とを別々のライトガイドを用いて照明することによって、広角の視野の全体を照明している。
【先行技術文献】
【特許文献】
【０００３】
【特許文献１】特開２００４−３２９７００号公報
【発明の概要】
【発明が解決しようとする課題】
【０００４】
しかしながら、特許文献１の内視鏡に設けられている照明装置は、細径な内視鏡には適さないという問題がある。すなわち、内視鏡の先端部には、被写体の画像を取得するための撮像光学系、処置具用のチャネル、レンズ洗浄用のノズル、湾曲部を湾曲させるための機構等の様々な部品が集約されている。したがって、細径の内視鏡においては、径方向に極力小さい空間に設置できる照明装置が求められる。特許文献１の照明装置は、撮像光学系の周囲に複数のライトガイドを径方向に並べて配置し、さらに側方照明用のライトガイドの先端部分を内視鏡の径方向へ曲げることによって側方を照明する構成となっている。したがって、内視鏡の径方向に大きな設置空間を必要とし、内視鏡の先端部の径の大幅な増加を招いてしまう。
【０００５】
本発明は、上述した事情に鑑みてなされたものであって、１８０°以上の広い角度範囲を照明可能でありながら、細径の内視鏡にも好適に適用することができる照明装置を提供することを目的とする。
【課題を解決するための手段】
【０００６】
上記目的を達成するため、本発明は以下の手段を提供する。
本発明は、照明光を出射する出射端を有する発光部と、所定の軸を中心とする円周上に配置され、前記出射端から入射された前記照明光を表面から出射する光学部材と、該光学部材の半径方向内側の表面に隣接して設けられ、前記照明光を半径方向外方へ反射する反射層とを備え、前記光学部材が、導光層と、該導光層よりも半径方向外側および前記所定の軸に沿う方向の一端側に位置する拡散層とを備え、前記導光層は、前記出射端から前記照明光が入射されるとともに該照明光を導光し、前記拡散層は、前記導光層から入射された前記照明光を拡散させながら導光する照明装置を提供する。
【０００７】
本発明によれば、光学部材の導光層に入射された照明光は、続いて拡散層において様々な方向に拡散されることによって、光学部材の表面から、所定の軸に沿う方向および放射方向に出射される。したがって、光学部材を、内視鏡が備える観察光学系の外側において該観察光学系の観察光軸と同軸に配置した場合に、観察光学系の前方および側方の視野を含む１８０°以上の角度範囲を照明することができる。
【０００８】
この場合に、導光層の半径方向内側の表面から出射した照明光は反射層によって導光層を介して拡散層へ戻されるので、出射端から光学部材に入射された照明光の大部分が、観察光軸に対して前方および側方へ出射されて視野の照明に寄与する。したがって、内視鏡の前方および側方の視野を高効率で照明することができる。さらに、光学部材は、観察光学系の周囲に該観察光学系の光軸と略同軸に配置される、全体として略筒状の形状となっているので、観察光学系の周囲の薄い空間に設置することができ、細径な内視鏡にも好適に適用することができる。
【０００９】
上記発明においては、前記出射端の形状が、円形、楕円、多角形、または、扇形であってもよい。
このようにすることで、発光部の設計の自由度を向上することができる。
【００１０】
また、上記発明においては、前記光学部材が、周方向の一部分を長手方向に切り欠いてなる切欠部を有する略筒状であってもよい。
このようにすることで、内視鏡の先端部に搭載されている部品を配置する空間が切欠部に確保されるので、汎用性の高い構造とすることができる。
【００１１】
また、上記発明においては、前記円周上に配列される複数の前記光学部材を備え、該各光学部材が、半径方向内側に平坦な側面を有する柱状であり、前記反射層が、前記平坦な側面に設けられていてもよい。
このようにすることで、光学部材の側面に反射層を形成する製造工程を簡略にすることができる。
【発明の効果】
【００１２】
本発明によれば、１８０°以上の広い角度範囲を照明可能でありながら、細径の内視鏡にも好適に適用することができるという効果を奏する。
【図面の簡単な説明】
【００１３】
【図１】本発明の第１の実施形態に係る照明装置の全体構成を示す（ａ）正面図および（ｂ）Ｉ−Ｉ線における縦断面図である。
【図２】図１の発光部の出射端の形状の変形例を示す、照明装置の正面図である。
【図３】図１の発光部の出射端の形状のもう１つの変形例を示す、照明装置の正面図である。
【図４】図１の光学部材における光線の振る舞いを示す図である。
【図５】図１の光学部材の変形例を示す、照明装置の（ａ）正面図および（ｂ）ＩI−ＩI線における縦断面図である。
【図６】図５の光学部材における光線の振る舞いを示す図である。
【図７】本発明の第２の実施形態に係る照明装置の全体構成を示す正面図である。
【図８】図７の光学部材の変形例を示す、照明装置の正面図である。
【図９】本発明の第３の実施形態に係る照明装置の全体構成を示す（ａ）正面図および（ｂ）ＩＩＩ−ＩＩＩ線における縦断面図である。
【図１０】図９の光学部材の形状の変形例を示す、照明装置の（ａ）正面図および（ｂ）ＩＶ−ＩＶ線における縦断面図である。
【図１１】本発明の第４の実施形態に係る照明装置の全体構成を示す（ａ）正面図および（ｂ）Ｖ−Ｖ線における縦断面図である。
【発明を実施するための形態】
【００１４】
（第１の実施形態）
以下に、本発明の第１の実施形態に係る照明装置１００について図１から図６を参照して説明する。
本実施形態に係る照明装置１００の先端側の部分（後述する光学部材２および反射層３から構成される部分）は、図１（ａ），（ｂ）に示されるように、筒状の構造を有し、内視鏡の先端に設けられた撮像光学系を周方向に囲むように、外部に露出して配置される。同図において、破線で囲まれた空間Ｓが、撮像光学系が配置される空間を示し、軸Ａが、撮像光学系の観察光軸を示している。特に、本実施形態に係る照明装置１００は、１８０°以上の画角を有し、観察光軸Ａの前方（図面において右から左に向かう方向）および側方の視野を同時に撮影可能な撮像光学系を備える内視鏡を対象として設計されている。
【００１５】
具体的には、照明装置１００は、図１（ａ），（ｂ）に示されるように、照明光を出射する出射端１ａを有する発光部１と、該発光部１の先端側に設けられ、出射端１ａから入射された照明光を拡散しながら導光するとともにその表面から出射する略円筒状の光学部材２と、該光学部材２の内周面に設けられた反射層３とを備えている。
【００１６】
発光部１は、例えば、内視鏡の内部に配置されるファイババンドルである。ファイババンドルの基端は、内視鏡の外部に配置された光源装置（図示略）に接続され、光源装置から供給された照明光がファイババンドルを導光してファイババンドルの先端である出射端１ａから出射されるようになっている。出射端１ａは、光学部材２の基端面に対して十分に近接した位置に対向配置され、光学部材２の導光層４（後述）の基端面に照明光を入射させる。
【００１７】
照明光の色は、用途に応じて適宜選択可能であり、被写体の通常観察においては白色であることが好ましい。ＮＢＩ（狭帯域光観察）や蛍光観察等の特殊光観察においては、特定の波長帯域のみに発光スペクトルを有する狭帯域の光を照明光として用いてもよい。
【００１８】
なお、図１には、観察光学Ａを中心とする円周上に等間隔で配列された４つの発光部１が示されているが、発光部１の形態や数は適宜変更可能である。例えば、発光部１は、ファイババンドルに代えて、ＬＥＤやレーザ等の小型の固体光源であってもよい。また、出射端１ａの形状も適宜変更可能であり、図２および図３に示されるように、円形または扇形であってもよく、これら以外の形状、例えば、矩形以外の多角形や楕円形であってもよい。
【００１９】
光学部材２は、その中心軸（所定の軸）が観察光軸（所定の軸）Ａと略一致するように配置されている。内視鏡が備える通常の撮像光学系は、観察光軸Ａに沿って一列に配列された複数のレンズと、これら複数のレンズを内部に保持する円筒状の鏡枠とからなる。光学部材２は、この鏡枠の外周面を囲むように配置される。
【００２０】
光学部材２は、半径方向に２つの層４，５が積層されてなる層構造を有している。具体的には、光学部材２は、半径方向内側に位置する導光層４と、該導光層４の半径方向外側および先端側に位置し導光層４の外面を覆う拡散層５とを備えている。導光層４の外周面と拡散層５の内周面とは接合されており、照明光は、導光層４と拡散層５との間を往来可能になっている。
【００２１】
導光層４は、照明光を伝搬する導光材からなる。導光材としては、例えば、アクリルやゼオノア等のプラスチック材料が用いられる。
拡散層５は、導光層４を構成する導光材と同様の導光材と、照明光を拡散する拡散材とから構成されることが望ましく、母材である導光材に拡散材が略均一な密度で分散した状態で担持されている。拡散材としては、酸化チタン等が用いられる。
【００２２】
光学部材２に基端面から入射した照明光に含まれる各光線は、図４に示されるように、入射角度に応じた方向へ進み、ほとんどの光線は、後述する反射層３の反射作用によって、拡散層５へ入射する。図４における矢印は、照明光に含まれる光線とその進行方向を示している。
【００２３】
拡散層５に入射した照明光は、該拡散層５の内部を導光する間に、導光材と拡散材との間の屈折率の差に起因して生じる屈折を繰り返して略等方的に拡散されることによって、略等方散乱光に変換される。略等方散乱光となった照明光のほぼ全部が、後述する反射層３の反射作用によって、拡散層５の表面のうち外部に露出された先端面または外周面から外部へ出射される。これにより、拡散層５の先端面から観察光軸Ａ前方へ出射された照明光によって主に観察光学系の前方の視野が照明され、拡散層５の外周面から観察光軸Ａに対して放射状に出射された照明光によって主に観察光学系の側方の視野が全周にわたって照明されるようになっている。
【００２４】
光学部材２の先端面は、外周面から滑らかに連続するとともに先端側に向かって外径が漸次小さくなる錐状に形成され、好ましくは、丸みを帯びた形状を有している。これにより、先端面および外周面から出射される照明光の強度が各角度において均等となり、広い視野の各位置を均一な明るさで照明することができ、良好な照明性能が得られる。
【００２５】
反射層３は、照明光に対して高い反射率を有し、光学部材２の内周面に隣接して設けられている。反射層３は、光学部材２の内周面に固定されたシートまたはパイプであってもよい。このとき、反射層３は、拡散層２との間に空気層を挟んで拡散層２に接していてもよく、拡散層２の屈折率と略同一の屈折率を有する光学接着剤で拡散層２に固定されていてもよい。または、反射層３は、光学部材２の内周面に形成された反射材の膜であってもよい。光学部材２の内周面から出射される照明光が反射層３によって光学部材２へ戻されることによって、光学部材２に観察光軸Ａに沿って入射された照明光のほぼ全部が、光学部材２の先端面および外周面から出射されて前方および側方の視野の照明に寄与することになる。これにより、高い照明効率を得ることができる。
【００２６】
次に、このように構成された照明装置１００の作用について説明する。
本実施形態に係る照明装置１００によれば、発光部１の出射端１ａから光学部材２の導光層４に入射された照明光は、導光層４の外側に位置する拡散層５へ入射し、該拡散層５を導光する間に様々な方向へ拡散される。このとき、照明光に含まれる光線の一部は、拡散層５の先端面または外周面から出射される。一方、照明光に含まれる光線の他の部分は、拡散層５の内周面から導光層４へ再び入射し、該導光層４を直進して導光層４の内周面から出射され、導光層４と撮像光学系との間に配置されている反射層３によって反射されて拡散層５へ戻され、再び直進して拡散層５へ入射し、拡散層５の先端面または外周面から出射されるまで拡散層５における拡散および反射層３による反射を繰り返す。これにより、発光部１から光学部材２に入射された照明光は、光量をほとんど損失することなく、観察光学系の前方の視野および側方の視野を十分な明るさで同時に照明することができる。
【００２７】
ここで、拡散層５においてほぼ完全拡散（ランバート散乱）されることによって等方散乱光となった照明光は、拡散層５から様々な方向へ出射する。さらに、先端面と外周面とが滑らかに連続する形状を有しているので、先端面および外周面からそれぞれ出射される照明光に、不連続な明るさの変化が発生することがない。したがって、１８０°以上の広い角度範囲を均一な明るさで照明することができる。
【００２８】
この場合に、本実施形態に係る照明装置１００は、内視鏡が備える撮像光学系の外側に該撮像光学系と同軸に配置される筒状であり、内視鏡の径方向に十分に小さい寸法を有する層状の構造となっているので、照明装置１００を、内視鏡の先端部の径をほとんど増加させることなく内視鏡の先端に組み込むことができる。具体的には、照明装置１００を組み込むことに因る内視鏡の先端部の径の増加幅は、円筒状の光学部材２および反射層３の厚みに相当する分だけで済む。したがって、細径の内視鏡にも好適に適用することができるという利点がある。
【００２９】
また、照明光は、拡散層５において観察光軸Ａに対して後方（図面において左から右へ向かう方向）にも拡散される。すなわち、特に基端面近傍において拡散層５によって拡散された照明光のうち一部が光学部材２の基端面から出射されることによって、照明光の光量に損失が生じる。そこで、本実施形態のように、出射端１ａから照明光が入射される半径方向内側に、照明光の拡散作用を有しない導光層４を設けることによって、光学部材２から観察光軸Ａ後方へ出射される照明光を低減し、さらに高い照明効率を得ることができるという利点がある。
【００３０】
なお、本実施形態においては、光学部材２が、導光層４の外側のみに拡散層５を備えることとしたが、これに代えて、図５（ａ），（ｂ）に示されるように、導光層４の半径方向外側に設けられ、導光層４と反射層３との間に介在するもう１つの拡散層６を備え、半径方向に３つの層４，５，６が積層されてなる構造を有していてもよい。
このように構成された光学部材２において、照明光は、図６に示されるように、図１の光学部材２とほぼ同様の同じ振る舞いを示す。このようにしても、出射端１ａから照明光が入射される位置に設けられた導光層４によって、照明効率の向上を図ることができる。
【００３１】
（第２の実施形態）
次に、本発明の第２の実施形態に係る照明装置２００について、図７および図８を参照して説明する。本実施形態においては、上述した第１の実施形態と異なる点について主に説明し、第１の実施形態と共通する構成については同一の符号を付して説明を省略する。
本実施形態に係る照明装置２００は、全周にわたって延びる光学部材２に代えて、図７に示されるように、周方向の一部分が切り欠かれた略Ｃ字形状の横断面を有する光学部材２１を備えている点において、第１の実施形態と主に異なっている。
【００３２】
光学部材２１の周方向の一部分を長手方向に切り欠いてなる切欠部２１ａは、扇形の横断面形状を有している。光学部材２１のその他の構成および作用は、第１の実施形態の光学部材２と同様である。
【００３３】
反射層３１は、第１の実施形態の反射層３と同様に、光学部材２１の内周面に設けられ、内周面から出射された照明光を光学部材２１へ戻すようになっている。反射層３１は、好ましくは、切欠部２１ａに露出する光学部材２１の断面にも設けられ、該断面から出射された照明光を光学部材２１へ戻すようになっている。反射層３１のその他の構成および作用は、第１の実施形態の反射層３と同様である。
【００３４】
撮像光学系の周囲には、設計上、様々な部品が配置される。本実施形態に係る照明装置２００によれば、切欠部２１ａによって確保された空間にこのような部品を配置することができ、より汎用性の高い構造とすることができるという利点がある。また、第１の実施形態と同様に、１８０°以上の広い角度範囲を効果的かつ効率的に照明することができるとともに、細径の内視鏡にも好適に適用することができるという利点がある。
【００３５】
なお、本実施形態において、切欠部２１ａの形状および数は、適宜変更してもよい。例えば、図８に示されるように、周方向の２箇所に切欠部２１ａが形成され、光学部材２１が２つの部材から構成されていてもよい。
また、本実施形態において、発光体１が、図２または図３に示されるように、矩形以外の形状の出射端１ａを有していてもよい。
また、本実施形態において、光学部材２１が、図５に示されるように、もう１つの拡散層６を備えていてもよい。
【００３６】
（第３の実施形態）
次に、本発明の第３の実施形態に係る照明装置３００について、図９および図１０を参照して説明する。本実施形態においては、上述した第１および第２の実施形態と異なる点について主に説明し、第１および第２の実施形態と共通する構成については同一の符号を付して説明を省略する。
【００３７】
本実施形態に係る照明装置３００は、筒状の光学部材２，２１に代えて、図９（ａ），（ｂ）に示されるように、観察光軸Ａを中心とする周方向に略均等に配列される複数（本例においては４つ）の光学部材２２を備え、光学部材２２、反射層３２および発光部１からなるユニットを４つ備えている点において、第１および第２の実施形態と主に異なっている。
【００３８】
各光学部材２２は、略半円柱状であり、平坦な側面が半径方向内側に配置され、湾曲した側面が半径方向外側に配置されている。光学部材２２のその他の構成および作用は、第１の実施形態の光学部材２と同様である。
反射層３２は、各光学部材２２の平坦な側面に設けられ、平坦な形状を有している。反射層３２のその他の構成および作用は、第１の実施形態の反射層３と同様である。
【００３９】
このように構成された本実施形態に係る照明装置３００によれば、光学部材２２が４つの別体の部材から構成されているので、光学部材２２に反射層３２を形成する加工工程において、光学部材２２の平坦な側面に対して任意の方向から加工を施すことができ、さらに、反射層３２が平坦な形状であるので、上述した反射層３，３１と比べて反射層３２を簡易に形成することができるという利点がある。また、第１の実施形態と同様に、１８０°以上の広い角度範囲を効果的かつ効率的に照明することができるとともに、細径の内視鏡にも好適に適用することができるという利点がある。
【００４０】
なお、本実施形態において、光学部材２２は、半径方向内側に平坦な側面を有する柱状であればよく、例えば、図１０（ａ），（ｂ）に示されるように、光学部材２２が、矩形の横断面形状を有する四角柱状であってもよい。
また、本実施形態において、発光体１が、図２または図３に示されるように、矩形以外の形状の出射端１ａを有していてもよい。
また、本実施形態において、光学部材２１が、図５に示されるように、もう１つの拡散層６を備えていてもよい。
【００４１】
（第４の実施形態）
次に、本発明の第４の実施形態に係る照明装置４００について、図１１を参照して説明する。本実施形態においては、上述した第１から第３の実施形態と異なる点について主に説明し、第１から第３の実施形態と共通する構成については同一の符号を付して説明を省略する。
【００４２】
本実施形態に係る照明装置４００は、発光体１が、光学部材２，２１，２２に基端側から照明光を入射することに代えて、図１１（ａ），（ｂ）に示されるように、光学部材２３に側方から照明光を入射する点において、第１から第３の実施形態と主に異なっている。
【００４３】
本実施形態において、光学部材２３は、光学部材２に比べて観察光軸Ａ方向に小さい寸法を有するリング状である。光学部材２３のその他の構成は、出射端１ａから照明光が入射される周方向の一部分において拡散層５が存在しないことを除いて、第１の実施形態の光学部材２と同様である。
光学部材２３の半径方向外側には、発光部１の出射端１ａから観察光軸Ａに平行に出射された照明光を光学部材２３の外周面に向かって９０°偏向する偏向プリズム７と、該偏光プリズム４の出射面と光学部材２３の外周面の一部とを接続する光学部材８とが備えられている。
【００４４】
反射層３３は、リング状の光学部材２３の内周面および基端面に設けられており、該内周面または基端面から出射される照明光を光学部材２３へ戻すことによって、光学部材２３入射した照明光の略全部を、光学部材２３の先端面および外周面から出射させるようになっている。
【００４５】
このように構成された本変形例に係る照明装置４００によれば、出射端１ａから出射された照射光は、偏向プリズム７によって偏向された後、光学部材８を介して光学部材２３の導光層４に外周面の一部から入射する。光学部材２３において、照明光は、第１の実施形態と同様に、略等方散乱光に変換された後に、反射層３３の作用によって光学部材２３の先端面および外周面から出射される。ここで、照明光は、拡散層５における拡散および反射層３３による反射を繰り返す過程において導光層４および拡散層５を周方向にも導光することによって、光学部材２３の全周から出射される。
【００４６】
このように構成された本実施形態に係る照明装置４００によれば、第１の実施形態と同様に、１８０°以上の広い角度範囲を効果的かつ効率的に照明することができるとともに、細径の内視鏡にも好適に適用することができるという利点がある。
なお、本実施形態において、発光体１が、図２または図３に示されるように、矩形以外の形状の出射端１ａを有していてもよい。
また、本実施形態において、光学部材２１が、図５に示されるように、もう１つの拡散層６を備えていてもよい。
【符号の説明】
【００４７】
１００，２００，３００，４００  照明装置
１  発光部
１ａ  出射端
２，２１，２２，２３  光学部材
２１ａ  切欠部
３，３１，３２，３３  反射層
４  導光層
５  拡散層
６  もう１つの拡散層
７  偏向プリズム
８  導光部材
Ａ  観察光軸
【図１】
2015016021.tif 000003
【図２】
2015016021.tif 000004
【図３】
2015016021.tif 000005
【図４】
2015016021.tif 000006
【図５】
2015016021.tif 000007
【図６】
2015016021.tif 000008
【図７】
2015016021.tif 000009
【図８】
2015016021.tif 000010
【図９】
2015016021.tif 000011
【図１０】
2015016021.tif 000012
【図１１】
2015016021.tif 000013